(57)【要約】【課題】  光ピックアップの取付台に光検出器を接着剤で接合固定する場合に、接着剤が収縮又は膨張したとしても、その影響で光検出器の光検出素子がフォーカス方向に位置ずれすることを防止する。【解決手段】  板片状の取付片３２の外周囲端面３４とその外周囲端面３４に対峙する姿勢で取付台１０に設けられた接合面８５との隙間に接着剤９０を装填する。接合面８５は、取付台１０に設けられたリブ状の突出片８４の表面によって形成することが可能である。接合面８５が対峙する取付片３２の外周囲端面３４を、取付片３２の隅部に形成した凹入面とすることも可能である。【選択図】        図１
2008293546.tif 000002
【特許請求の範囲】
【請求項１】
板片状の取付片に光検出素子が装備されてなる光検出器が、取付台に接着剤を用いて接合固定されている光ピックアップにおいて、
上記取付片の外周囲端面とその外周囲端面に対峙する姿勢で上記取付台に設けられた接合面との隙間に装填された上記接着剤を介して光検出器が取付台に接合固定されていることを特徴とする光ピックアップ。
【請求項２】
上記接合面が、上記取付台に設けられたリブ状の突出片の表面によって形成されている請求項１に記載した光ピックアップ。
【請求項３】
上記接合面が対峙している取付片の外周囲端面が、上記取付片の隅部に形成された凹入面である請求項１又は請求項２に記載した光ピックアップ。
【請求項４】
上記取付片が略矩形に形成されていて、その４箇所の隅部に上記凹入面が形成されている請求項３に記載した光ピックアップ。
【発明の詳細な説明】
【技術分野】
【０００１】
本発明は、光ピックアップ、特に、光ピックアップの取付台に接着剤で光検出器を接合固定する場合に、接着剤の膨張収縮特性の影響を受けて光検出器がフォーカス方向に位置ずれすることを防ぐ対策を講じてある光ピックアップに関する。
【背景技術】
【０００２】
従来、光ピックアップのハウジングに光検出器を装備させる場合に、紫外線硬化型の接着剤を用いて光検出器をハウジングに接合固定すること、光検出器を、光検出素子（ＰＤＩＣ）を搭載したフレキシブル基板（ＦＰＣ）を、固定板としてのプレートに重なり状に取り付けることによって構成すること、などが知られていた（たとえば、特許文献１参照）。また、この特許文献１には、上記プレートの表面とハウジングに設けた突出部の端面との間に接着剤を橋渡すようにして塗布することが記載されている。
【０００３】
一方、図５は光ピックアップＰがディスクＤの記録面を光学的に処理するときの光学系の光路図を説明的に示している。同図のように、光ピックアップＰは、樹脂成形体でなる取付台１０に、レーザダイオードでなる発光素子２０や光検出器３０のほか、回折格子（グレーチング）４０、ハーフミラー５０、コリメータレンズ６０、対物レンズ７０などの必要な光学部品を装備している。この光ピックアップＰでは、発光素子２０からの投射光が回折格子４０、ハーフミラー５０、コリメータレンズ６０及び対物レンズ７０を経てディスクＤの記録面に照射され、その反射光が、対物レンズ７０、コリメータレンズ６０及びハーフミラー５０を経て光検出器３０に導かれる。したがって、このような光学系を有する光ピックアップＰでは、ディスクＤの記録面に対する光学的処理性能、言い換えると記録再生性能の良否が、上記した光学部品によって形成される光路が適正に形成されているか否かによって影響を受けるほか、光検出器３０についてのフォーカス方向の位置ずれの有無や位置ずれの程度によっても影響を受ける。
【０００４】
図６は光ピックアップの従来例で採用されている取付台１０と光検出器３０との接合固定構造を概略側面図によって説明的に示したものであり、図７は同接合固定構造を概略正面図によって説明的に示したものである。
【０００５】
図６又は図７のように、この従来例に採用されている上記結合固定構造では、光検出器３０が光検出素子３１とその光検出素子３１を装備している板片状の取付片３２とを備えていて、取付片３２の表面３３と取付台１０に設けたリブ８１，８１の頂面によって形成されている接合面８１ａ，８１ａとが接着剤９０によって接合されていた。
【特許文献１】特開２００７−３５２３８号公報（０００４、図２、図３）
【発明の開示】
【発明が解決しようとする課題】
【０００６】
しかしながら、図６又は図７を参照して説明した構造によって取付台１０に光検出器３０が接着剤９０で接合固定されていると、接着剤９０の塗布工程で光検出器３０をフォーカス方向（図５矢印Ｆ参照）で正確に位置しておいたとしても、塗布工程後の温度や湿度の変化によって接着剤９０に収縮又は膨張などの体積変化が生じたときに、光検出器３０の取付片３２が接着剤９０との接合箇所では、図６に矢印ａ，ｂで示したように、リブ８１側に引き寄せられたり離されたりして、光検出素子３１がフォーカス方向（光軸方向：図５矢印Ｆ）に位置ずれしたり、光検出素子３１の向きが光軸に対して傾斜したりするという事態が起こり得る。そして、そのように事態が起こると、光ピックアップの光学的処理性能ひいては記録再生性能が低下するという事態を来してしまう。
【０００７】
このような状況は、特許文献１に記載されている光検出器の取付構造、すなわち、プレートの表面とハウジングに設けた突出部の端面との間に接着剤を橋渡すようにして塗布することによって接合固定した場合にも同様に起こり得る。
【０００８】
本発明は以上の状況に鑑みてなされたものであり、光検出器や取付台に余分に部品を追加することなく、取付台に接着剤で接合固定された光検出器が、接着剤の収縮又は膨張の影響を受けても、フォーカス方向に位置ずれしたり、光検出素子の向きが光軸に対して傾斜したりするという事態を生じにくくなる光ピックアップを提供することを目的とする。
【課題を解決するための手段】
【０００９】
本発明に係る光ピックアップでは、板片状の取付片に光検出素子が装備されてなる光検出器が、取付台に接着剤を用いて接合固定されている光ピックアップにおいて、上記取付片の外周囲端面とその外周囲端面に対峙する姿勢で上記取付台に設けられた接合面との隙間に装填された上記接着剤を介して光検出器が取付台に接合固定されている。
【００１０】
この構成であると、取付片の外周囲端面と接合面との隙間に接着剤を装填した後で、その接着剤が収縮又は膨張を起こしても、その収縮又は膨張の方向が光軸方向に一致することがないか、あるいは、一致しにくくなる。そのため、接着剤の収縮又は膨張の影響によって、光検出器の光検出素子がフォーカス方向に位置ずれしたり、光検出素子の向きが光軸に対して傾斜したりするという事態を生じにくい。
【００１１】
本発明において、取付片の外周囲端面に対峙する姿勢で取付台に設けられる接合面は、取付台に設けられたリブ状の突出片の表面によって形成することが可能である。この構成を採用すると、取付台と一体にリブ状の突出片を樹脂で成形しておけばよいので、光検出器や取付台に余分に部品を追加する必要がない。
【００１２】
本発明では、上記接合面が対峙している取付片の外周囲端面が、上記取付片の隅部に形成された凹入面である、という構成を採用することが可能である。また、上記取付片が略矩形に形成されていて、その４箇所の隅部に上記凹入面が形成されている、という構成を採用することも可能である。
【発明の効果】
【００１３】
以上のように、本発明によれば、接着剤が収縮又は膨張したとしても、光検出器の光検出素子がフォーカス方向に位置ずれしたり、光検出素子の向きが光軸に対して傾斜したりするという事態を生じにくいため、光検出素子がフォーカス方向に位置ずれしたり光軸に対して傾斜したりして光学的処理性能ひいては記録再生性能が低下するという事態が起こらなくなる。
【発明を実施するための最良の形態】
【００１４】
図１は本発明の実施形態に係る光ピックアップで採用されている取付台１０と光検出器３０との接合固定構造を概略側面図によって説明的に示したものであり、図２は同接合固定構造を概略正面図によって説明的に示したものである。また、図３及び図４は異なる種類の光検出器３０を概略側面図で説明的に示したものである。
【００１５】
図３の光検出器３０は、光検出素子３１を搭載したＦＰＣ３５を板片状の金属製の取付片３２の片面に重ね合わせて固定した構造を有している。また、図４の光検出器３０は、光検出素子３１を搭載した配線基板を板片状の取付片３２として利用することができるようになっていると共に、その取付片３２としての配線基板にＦＰＣ３５を接続してある。そして、図３又は図４のいずれの構造の光検出器３０においても、取付片３２が取付台に接着剤で接合固定される。
【００１６】
図１のように、本発明に係る光ピックアップにおいて、光検出器３０は、板片状の取付片３２に光検出素子３１が装備されてなり、この光検出器３０には図３又は図４に示したものを採用することが可能である。また、光検出器３０は、取付台１０に接着剤９０を用いて接合固定される。具体的には、図１によって明らかなように、取付片３２の外周囲端面３４と、その外周囲端面３４に対峙する姿勢で取付台１０に設けられた接合面８５との隙間に装填された上記接着剤９０を介して光検出器３０が取付台１０に接合固定されている。
【００１７】
ここで、取付片３２の外周囲端面３４とは、光検出素子３１の光軸に平行な面のことである。すなわち、取付片３２が配線基板によって形成されている図４の光検出器３０の場合には、光検出素子３１が搭載されている板面に直交する面のことである。また、取付片３２が板片状金属片によって形成されている図３の光検出器３０の場合には、ＦＰＣ３５が固定されている板面に直交する面のことである。
【００１８】
上記したように、取付片３２の外周囲端面３４と、その外周囲端面３４に対峙する姿勢で取付台１０に設けられた接合面８５との隙間に装填された接着剤９０を介して光検出器３０が取付台１０に接合固定されていると、仮に接着剤９０が収縮又は膨張したとしても、その収縮又は膨張によって生じる力が図１に矢印ｃで示したように、光学系の光軸に直交する方向を向く。そのため、接着剤９０の収縮又は膨張の影響によって、図５に示したフォーカス方向Ｆに光検出器３０ひいてはその光検出素子３１が位置ずれするという事態や、光検出素子３１の向きが光軸に対して傾斜したりするという事態が起こらないか、あるいは、起こりにくい。
【００１９】
この実施形態では、光検出器３０や取付台１０に余分に部品を追加する必要を無くするために、上記接合面８５を、取付台１０に一体に樹脂で成形したリブ状の突出片８４の表面によって形成してある。
【００２０】
接着剤９０による接合面８５と取付片３２の外周囲端面３４との接合箇所は、取付片３２の両側に２箇所であっても、２箇所より多い周囲の複数箇所であってもよい。しかし、フォーカス方向Ｆ（図５参照）だけでなく、フォーカス方向Ｆに直交する方向で光検出器３０が位置ずれすることをも有効に抑制するためには、図２に示したように略矩形の取付片３２の４隅（４つの隅部）のそれぞれを接合面８５に接着剤９０で接合固定しておくことが望ましい。
【００２１】
また、略矩形の取付片３２の４隅のそれぞれを接合面８５に接着剤９０で接合固定するという構造を採用する場合、その接合強度を十分に大きく確保するためには、図２のように、取付片３２の外周囲端面３４を４隅のそれぞれで湾曲した凹入面とすると共に、接合面８５をその凹入面に沿う形状の湾曲した凸面としておき、それらの凹入面と凸面との隙間に接着剤９０を充填することによって接合面積を拡げた状態で光検出器３０を取付台１０に接合固定しておくとよい。さらに、取付片３２の外周囲端面３４と接合面８５との間隔の広さは、接着剤９０を充填して光検出器３０を取付台１０に接合固定したときに、十分に大きな接合強度を得るために、接着剤９０の充填量が過不足を生じない程度に定めておくことが望まれる。
【００２２】
なお、図１〜図７では同一又は相応する部分に同一符号を付してある。
【図面の簡単な説明】
【００２３】
【図１】本発明の実施形態に係る光ピックアップで採用されている取付台と光検出器との接合固定構造の概略側面図である。
【図２】同接合固定構造の概略正面図である。
【図３】光検出器の概略側面図である。
【図４】他の種類の光検出器の概略側面図である。
【図５】光ピックアップの光学系の光路図である。
【図６】従来例で採用されている取付台と光検出器との接合固定構造の概略側面図である。
【図７】同接合固定構造の概略正面図である。
【符号の説明】
【００２４】
Ｐ  光ピックアップ
１０  取付台
３０  光検出器
３１  光検出素子
３２  取付片
３４  取付片の外周囲端面
９０  接着剤
８４  突出片
８５  接合面
【図１】
2008293546.tif 000003
【図２】
2008293546.tif 000004
【図３】
2008293546.tif 000005
【図４】
2008293546.tif 000006
【図５】
2008293546.tif 000007
【図６】
2008293546.tif 000008
【図７】
2008293546.tif 000009